(57)【要約】【課題】コネクタハウジングへ端子付電線を挿入する作業をより簡単に行うことができる技術を提供すること。【解決手段】表示装置１００は、端子付電線９０を撮影する撮影部４と、端子付電線９０の識別情報９Ｘ及び識別情報９Ｘに関連付けられ、キャビティ２０に対応する端子付電線９０の挿入位置を示す挿入位置情報９Ｙを含む保存情報９Ｚを複数記憶する記憶部１０７と、複数の保存情報９Ｚにおける識別情報９Ｘと撮影部４より得られる撮影情報４Ｘとを対比して、撮影情報４Ｘと一致する識別情報９Ｘを特定する判断部５と、撮影情報４Ｘと一致する識別情報９Ｘに関連付けられた挿入位置情報９Ｙが示す挿入位置を表示する表示部６と、を備える。【選択図】図９
2017123290.tif 000002
【特許請求の範囲】
【請求項１】
コネクタハウジングに形成された複数のキャビティに挿入される端子付電線の挿入位置を表示する表示装置であって、
前記端子付電線を撮影する撮影部と、
前記端子付電線の識別情報及び前記識別情報に関連付けられ、前記キャビティに対応する前記端子付電線の前記挿入位置を示す挿入位置情報を含む保存情報を複数記憶する記憶部と、
複数の前記保存情報における前記識別情報と前記撮影部より得られる撮影情報とを対比して、前記撮影情報と一致する前記識別情報を特定する判断部と、
前記撮影情報と一致する前記識別情報に関連付けられた前記挿入位置情報が示す前記挿入位置を表示する表示部と、を備える、表示装置。
【請求項２】
請求項１に記載の表示装置であって、
前記表示部は、前記コネクタハウジングのうち前記端子付電線が挿入される側の面であるコネクタ背面の画像を表示するとともに、前記画像に重ねて前記挿入位置を表示する、表示装置。
【請求項３】
請求項２に記載の表示装置であって、
前記表示部は、作業者と前記コネクタハウジングとの間に配される透過型ディスプレイを含む、表示装置。
【請求項４】
請求項１から請求項３のいずれか１項に記載の表示装置であって、
前記表示部は、作業者に装着される装着部をさらに備える、表示装置。
【請求項５】
コネクタハウジングに形成された複数のキャビティに挿入される端子付電線の挿入位置を表示する表示方法であって、
前記端子付電線を撮影する撮影工程と、
前記端子付電線の識別情報及び前記識別情報に関連付けられ、前記キャビティに対応する前記端子付電線の前記挿入位置を示す挿入位置情報を含む保存情報を複数記憶した記憶部を用いて、複数の前記保存情報における前記識別情報と前記撮影工程より得られる撮影情報とを対比して、前記撮影情報と一致する前記識別情報を特定する判断工程と、
前記撮影情報と一致する前記識別情報に関連付けられた前記挿入位置情報が示す前記挿入位置を表示する表示工程と、を備える、表示方法。
【発明の詳細な説明】
【技術分野】
【０００１】
本発明は、コネクタハウジングに形成された複数のキャビティに挿入される端子付電線の挿入位置を表示する表示装置及びその表示方法に関する。
【背景技術】
【０００２】
例えば、特許文献１に示されるように、コネクタハウジングにおける複数のキャビティ各々に、端子付電線が挿入される。
【先行技術文献】
【特許文献】
【０００３】
【特許文献１】特開２０１３−１８７１０５号公報
【発明の概要】
【発明が解決しようとする課題】
【０００４】
ところで、端子付電線は、この端子付電線の挿入位置が示された設計図を基に、コネクタハウジングにおける複数のキャビティのうちのいずれかに挿入される。このとき、作業者は、コネクタハウジングへの端子付電線挿入作業として、端子付電線を確認してその種類を特定し、設計図を見てその特定した端子付電線の挿入位置を探す作業を行う必要があり、これらの作業は、面倒である。
【０００５】
そこで、本発明は、コネクタハウジングへ端子付電線を挿入する作業をより簡単に行うことができる技術を提供することを目的とする。
【課題を解決するための手段】
【０００６】
第１態様に係る表示装置は、コネクタハウジングに形成された複数のキャビティに挿入される端子付電線の挿入位置を表示する表示装置であって、前記端子付電線を撮影する撮影部と、前記端子付電線の識別情報及び前記識別情報に関連付けられ、前記キャビティに対応する前記端子付電線の前記挿入位置を示す挿入位置情報を含む保存情報を複数記憶する記憶部と、複数の前記保存情報における前記識別情報と前記撮影部より得られる撮影情報とを対比して、前記撮影情報と一致する前記識別情報を特定する判断部と、前記撮影情報と一致する前記識別情報に関連付けられた前記挿入位置情報が示す前記挿入位置を表示する表示部と、を備える。
【０００７】
第２態様に係る表示装置は、第１態様に係る表示装置の一態様であって、前記表示部は、前記コネクタハウジングのうち前記端子付電線が挿入される側の面であるコネクタ背面の画像を表示するとともに、前記画像に重ねて前記挿入位置を表示する。
【０００８】
第３態様に係る表示装置は、第２態様に係る表示装置の一態様であって、前記表示部は、作業者と前記コネクタハウジングとの間に配される透過型ディスプレイを含む。
【０００９】
第４態様に係る表示装置は、第１態様から第３態様のいずれか１つに係る表示装置の一態様であって、前記表示部は、作業者に装着される装着部をさらに備える。
【００１０】
第５態様に係る表示方法は、コネクタハウジングに形成された複数のキャビティに挿入される端子付電線の挿入位置を表示する表示方法であって、前記端子付電線を撮影する撮影工程と、前記端子付電線の識別情報及び前記識別情報に関連付けられ、前記キャビティに対応する前記端子付電線の前記挿入位置を示す挿入位置情報を含む保存情報を複数記憶した記憶部を用いて、複数の前記保存情報における前記識別情報と前記撮影工程より得られる撮影情報とを対比して、前記撮影情報と一致する前記識別情報を特定する判断工程と、前記撮影情報と一致する前記識別情報に関連付けられた前記挿入位置情報が示す前記挿入位置を表示する表示工程と、を備える。
【発明の効果】
【００１１】
上記の各態様では、撮影部が端子付電線を撮影し、判断部が撮影情報と複数の保存情報における識別情報とを対比して撮影情報と一致する識別情報を特定する。そして、表示部が、特定された識別情報に関連付けられた挿入位置情報が示す端子付電線の挿入位置を表示する。このため、作業者が端子付電線の種類を特定する作業及び設計図を見てその特定した端子付電線の挿入位置を探す作業を行う場合に比べ、作業性が向上する。このため、コネクタハウジングへ端子付電線を挿入する作業をより簡単に行うことが可能となる。
【００１２】
第２態様では、表示部は、コネクタハウジングのうち端子付電線が挿入される側の面であるコネクタ背面の画像を表示するとともに、この画像に重ねて挿入位置を表示する。この場合、実際のコネクタ背面と表示部に表示されたコネクタ背面の画像に示された挿入位置とを見比べることで、端子付電線の挿入位置を簡単に認識することができる。
【００１３】
第３態様では、表示部は、作業者とコネクタハウジングとの間に配される透過型ディスプレイを含む。この場合、実際のコネクタ背面と表示部に表示されたコネクタ背面の画像とが重なるように照らし合わせることで、端子付電線の挿入位置を間違えることを抑制できる。
【００１４】
第４態様では、表示部は、作業者に装着される装着部をさらに備える。この場合、表示部を作業者に近い位置に設置することができる。また、例えば、表示部が透過型のディスプレイを含む場合、装着部によって作業者の目の前にディスプレイが位置するように装着されることで、実際のコネクタ背面と表示部に表示されたコネクタ背面の画像とが重なるように照らし合わせる作業をより簡単に行うことができる。
【００１５】
第５態様では、作業者が端子付電線の種類を特定する作業及び設計図を見てその特定した端子付電線の挿入位置を探す作業を行う場合に比べ、作業性が向上する。このため、コネクタハウジングへ端子付電線を挿入する作業をより簡単に行うことが可能となる。
【図面の簡単な説明】
【００１６】
【図１】コネクタハウジング及び端子付電線を示す斜視図である。
【図２】実施形態に係る表示装置を示すブロック図である。
【図３】実施形態に係る表示装置で実行される処理の流れを説明する図である。
【図４】実施形態に係る表示装置の撮影部を説明する図である。
【図５】実施形態に係る表示装置の判断部を説明する図である。
【図６】実施形態に係る表示装置の記憶部に保存される保存情報を説明する図である。
【図７】実施形態に係る表示装置の表示部を示す図である。
【図８】実施形態に係る表示装置の表示部の表示例を示す図である。
【図９】実施形態に係る表示装置の表示部、コネクタハウジング及び作業者の位置関係を示す図である。
【図１０】変形例に係る２個のコネクタハウジング及び端子付電線を示す斜視図である。
【図１１】変形例に係る表示装置の記憶部に保存される保存情報を説明する図である。
【発明を実施するための形態】
【００１７】
以下、添付の図面を参照しつつ、本発明の実施形態について説明する。以下の実施形態は、本発明を具現化した一例であり、本発明の技術的範囲を限定する事例ではない。
【００１８】
＜実施形態＞
図１〜１０を参照しつつ、本実施形態に係る表示装置１００及び表示方法について説明する。表示装置１００は、コネクタハウジング２に形成された複数のキャビティ２０に挿入される端子付電線９０の挿入位置（目的のキャビティ２０の位置）を表示する装置である。図１は、コネクタハウジング２と端子付電線９０とを示す斜視図である。まず、図１を参照しつつ、本実施形態における、コネクタハウジング２と端子付電線９０とについて説明する。
【００１９】
図１に示されるように、端子付電線９０は、電線９と電線９の端部に接続された端子８とを備える。ここでは、電線９は、芯線９１と芯線９１の周囲を覆う絶縁被覆９２とを備える。即ち、ここでは、電線９が絶縁電線である場合の事例である。芯線９１は、銅又はアルミニウム等を主成分とする金属の導体である。絶縁被覆９２は、絶縁性の部材であり、例えば、ポリエチレン又は塩化ビニル等を主成分とする合成樹脂の部材である。
【００２０】
端子付電線９０においては、電線９の端部の芯線９１の周囲の絶縁被覆９２が除去される。そして、この絶縁被覆９２が除去され露出した芯線９１には、端子８が接続される。
【００２１】
端子８は、例えば、銅等を主成分とする金属の部材である。ここでは、端子８は、電線９の端部の芯線９１に接続される芯線接続部８１と、絶縁被覆９２の端部に接続される被覆接続部８２と、相手側部材に接続される相手側接続部８３と、を備える。
【００２２】
端子８の相手側接続部８３は、この端子８の接続相手である相手側部材に接続可能な部分であり、ここでは、図１に示されるように、相手側部材に対し挿入接続可能な棒状に形成されている。この場合、相手側部材としては、例えば、相手側接続部８３が挿入される凹部を含むメス型端子等であることが考えられる。なお、他の例として、相手側接続部８３が、棒状の部材が挿入されることが可能な凹部を含む場合等も考えられる。
【００２３】
端子８の芯線接続部８１は、電線９の端部の芯線９１に接続される部分である。ここでは、芯線接続部８１は、電線９の端部の芯線９１に圧着可能な圧着片を含む。端子付電線９０においては、芯線接続部８１の圧着片が電線９の端部の芯線９１の周囲を覆う状態でかしめられる。なお、別の例として、芯線接続部が、電線９の端部の芯線９１に超音波溶接等によって溶接される場合ももちろん考えられる。この場合、芯線接続部は、電線９の端部の芯線９１を溶接可能な平板状に形成されていること等が考えられる。
【００２４】
端子８の被覆接続部８２は、絶縁被覆９２の端部に接続される部分であり、ここでは、絶縁被覆９２に圧着可能な圧着片を含む。端子付電線９０においては、被覆接続部８２の圧着片が絶縁被覆９２の周囲を覆う状態でかしめられている。
【００２５】
次に、コネクタハウジング２について説明する。コネクタハウジング２には、複数の端子付電線９０各々の端部が挿入される複数のキャビティ２０が形成されている。なお、ここでは、コネクタハウジング２に、６つのキャビティ２０が形成されている場合の事例について説明する。従って、以下では、必要に応じて、キャビティ２０を、キャビティ２１，２２，２３，２４，２５，２６と称する。
【００２６】
コネクタハウジング２は、樹脂製の部材であることが考えられる。また、コネクタハウジング２が、端子８をキャビティ２０内で固定する保持構造（例えば、端子に引っ掛かる係止爪等の係止構造）を備えていることが考えられる。
【００２７】
次に図２〜９を参照しつつ、表示装置１００の詳細について説明する。表示装置１００は、撮影部４と判断部５と表示部６とを備える。撮影部４は、端子付電線９０を撮影する（撮影工程）。撮影工程により撮影情報４Ｘが得られる。また、判断部５は、記憶部１０７を用いて、複数の保存情報９Ｚにおける識別情報９Ｘと撮影部４より得られる撮影情報４Ｘとを対比して、撮影情報４Ｘと一致する識別情報９Ｘを特定する（判断工程）。なお、記憶部１０７には、端子付電線９０の識別情報９Ｘ、及び、識別情報９Ｘに関連付けられ、キャビティ２０に対応する端子付電線９０の挿入位置を示す挿入位置情報９Ｙを含む保存情報９Ｚが複数記憶されている。また、表示部６は、撮影情報４Ｘと一致する識別情報９Ｘに関連付けられた挿入位置情報９Ｙが示す挿入位置を表示する（表示工程）。
【００２８】
図２は、表示装置１００を示すブロック図である。図３は、表示装置１００で実行される処理の流れを示す図である。図４は、表示装置１００における撮影部４を説明する図である。図５は、表示装置１００における判断部５のハードウェア構成を示す図である。図６は、記憶部１０７に保存されている保存情報９Ｚを示す図である。図７〜９は、表示装置１００における表示部６を説明する説明図である。
【００２９】
まず、表示装置１００の撮影部４について説明する。撮影部４は、端子付電線９０を撮影する部分である。図４に示されるように、例えば、撮影部４は、カメラ４１及びカメラ４１で撮影した撮影データを判断部５へ送信可能な通信部（不図示）を備えることが考えられる。
【００３０】
より具体的には、ここでは、図４に示されるように、撮影部４は、カメラ４１、通信部及びカメラ４１のレンズに対向する位置に配された撮影台４２を備える。ここでは、撮影台４２に載せられた状態の端子付電線９０がカメラ４１によって撮影される。そして、カメラ４１で得られた撮影データは、通信部により、判断部５へ無線又は有線で送信される。
【００３１】
次に判断部５について説明する。ここでは、判断部５は、記憶部１０７を備える。記憶部１０７は、端子付電線９０の識別情報９Ｘ、及び、識別情報９Ｘに関連付けられ、各キャビティ２０に対応する端子付電線９０の挿入位置を示す挿入位置情報９Ｙを含む保存情報９Ｚを複数記憶する。そして、判断部５は、複数の保存情報９Ｚにおける識別情報９Ｘと撮影部４より得られる撮影情報４Ｘとを対比して、撮影情報４Ｘと一致する識別情報９Ｘを特定する。
【００３２】
判断部５の各構成及びその作用についてより具体的に説明する。ここでは、図５に示されるように、判断部５は、ＣＰＵ１０３、ＲＯＭ１０４、ＲＡＭ１０５、通信部１０６、記憶部１０７が、バスライン１０８を介して相互接続された一般的なコンピューターによって構成されている。ここでは、ＲＯＭ１０４は、基本プログラム等を格納しており、ＲＡＭ１０５はＣＰＵ１０３が所定の処理を行う際の作業領域として供される。通信部１０６は、ＬＡＮ等の通信回線を介したデータ通信機能を有する。
【００３３】
なお、判断部５が、外部装置をさらに備える場合も考えられる。外部装置としては、例えば、キーボード、マウス、各種スイッチ、タッチパネル等の少なくとも１つを含む入力装置が考えられる。入力装置は、オペレータからの各種の操作（コマンドや各種データの入力といった操作）を受け付ける装置である。また、他にも、外部装置としては、液晶表示装置等により構成され、ＣＰＵ１０３による制御の下、各種の情報を表示する表示装置等が考えられる。
【００３４】
記憶部１０７は、フラッシュメモリ、あるいは、ハードディスク装置等の不揮発性の記憶装置によって構成されている。なお、記憶部１０７が、判断部５の各構成とネットワーク回線等を介して接続されていてもよい。
【００３５】
プログラムは、通常、予め記憶部１０７等のメモリに格納されて使用されるものであるが、ＣＤ−ＲＯＭあるいはＤＶＤ−ＲＯＭ、外部のフラッシュメモリ等の記録媒体に記録された形態（プログラムプロダクト）で提供され（あるいは、ネットワークを介した外部サーバからのダウンロードなどにより提供され）、追加的または交換的に記憶部１０７等のメモリに格納されるものであってもよい。
【００３６】
ここでは、記憶部１０７には、上記保存情報の他に、所定のプログラムが格納されており、このプログラムに記述された手順に従って、主制御部としてのＣＰＵ１０３が演算処理を行うことにより、判断部５の各種機能が実現されるように構成されている。
【００３７】
例えば、ここでは、記憶部１０７には、以下の２つのプログラムＰｒ１，Ｐｒ２が格納されていることが考えられる。
【００３８】
１つ目のプログラムＰｒ１は、撮影部４より得られる撮影データに所定の画像処理を行い、端子付電線９０を識別する撮影情報４Ｘを得るためのプログラムである。撮影情報４Ｘは、例えば、撮影データにおける端子付電線９０に含まれる電線９の太さ、色又は絶縁被覆９２の模様、若しくは端子８の形状（芯線接続部８１、被覆接続部８２、相手側接続部８３の形状）等を確認することで得られる情報であり、端子付電線９０の種類を示す情報である。なお、別の例として、撮影部４側で上記プログラムＰｒ１を行い、撮影データから得られる上記撮影情報４Ｘが撮影部４の通信部によって判断部５に送信される場合も考えられる。
【００３９】
２つ目のプログラムＰｒ２は、記憶部１０７に保存されている複数の保存情報９Ｚにおける識別情報９Ｘと上記プログラムＰｒ１より得られる撮影情報４Ｘとを比較し、一致するか否かを判定するプログラムである。ここで、記憶部１０７に保存される保存情報９Ｚについて説明する。
【００４０】
上述のように、記憶部１０７は、複数の保存情報９Ｚを備える。ここでは、一の保存情報９Ｚは、一の識別情報９Ｘとこの識別情報９Ｘに対応する一の挿入位置情報９Ｙとを含んでいる。識別情報９Ｘは、複数種類ある端子付電線９０のいずれかを示す情報である。挿入位置情報９Ｙは、複数あるキャビティ２０のいずれかを示す情報である。
【００４１】
また、複数の保存情報９Ｚは、予め記憶部１０７に格納されていることが考えられる。なお、ここでは、図６に示されるように、記憶部１０７が、６つの保存情報９Ｚを備える事例を説明する。
【００４２】
ここでは、端子付電線９０の種類を示す情報である識別情報９Ｘは、撮影情報４Ｘと同様、端子付電線９０に含まれる電線９の太さ、色又は絶縁被覆９２の模様、若しくは端子８の形状等を確認することで得られる情報である。ここでは、識別情報９Ｘと撮影情報４Ｘとは、同じ判断基準（端子付電線９０に含まれる電線９の太さ、色又は絶縁被覆９２の模様、若しくは端子８の形状等）で端子付電線９０の種類を特定する。例えば、識別情報９Ｘが、端子付電線９０に含まれる電線９の太さによって定まる情報である場合、記憶部１０７に保存される上記プログラムＰｒ２は、撮影データにおける端子付電線９０に含まれる電線９の太さを確認することで撮影情報４Ｘを得るためのプログラムであることが考えられる。
【００４３】
一方、挿入位置情報９Ｙは、識別情報９Ｘに対応する情報であり、コネクタハウジング２に形成された複数のキャビティのうちの１つを示す情報であることが考えられる。
【００４４】
ここでは、コネクタハウジング２には、６つのキャビティ２０が形成されている。そして、それぞれのキャビティ２１，２２，２３，２４，２５，２６には、異なる６種類の端子付電線９０Ａ，９０Ｂ，９０Ｃ，９０Ｄ，９０Ｅ，９０Ｆがそれぞれ挿入される。ここでは、図６に示されるように、各端子付電線９０Ａ，９０Ｂ，９０Ｃ，９０Ｄ，９０Ｅ，９０Ｆは、それぞれ以下のように、キャビティ２１，２２，２３，２４，２５，２６に挿入される。即ち、端子付電線９０Ａが、コネクタハウジング２のキャビティ２１に挿入される。また、端子付電線９０Ｂが、コネクタハウジング２のキャビティ２２に挿入される。また、端子付電線９０Ｃは、コネクタハウジング２のキャビティ２３に挿入される。また、端子付電線９０Ｄは、コネクタハウジング２のキャビティ２４に挿入される。また、端子付電線９０Ｅは、コネクタハウジング２のキャビティ２５に挿入される。また、端子付電線９０Ｆは、コネクタハウジング２のキャビティ２６に挿入される。
【００４５】
本実施形態では、上述の２つ目のプログラムＰｒ２によって、複数の保存情報９Ｚにおける識別情報９Ｘの中から、撮影情報４Ｘと一致するものが特定される。例えば、電線９の太さで判定する場合、識別情報９Ｘは、最小値と最大値とを規定した範囲であることが考えられる。そして、撮影情報４Ｘの数値（撮影データにおける電線９の太さを示す数値）が、上記範囲内に該当すれば、この撮影情報４Ｘと上記識別情報９Ｘとが一致と判断される。
【００４６】
一方、上記の例では、撮影情報４Ｘの数値が、上記範囲外であれば、この撮影情報４Ｘと上記識別情報９Ｘとが不一致と判断される。そして、不一致と判断された場合には、この撮影情報４Ｘと残りの保存情報９Ｚにおける識別情報９Ｘのうちのいずれかとの対比が行われ、一致するものが見つかるまで実行される。
【００４７】
撮影情報４Ｘと一致と判断された識別情報９Ｘが特定されると、この識別情報９Ｘに関連付けられた挿入位置情報９Ｙを特定することができる。そして、本実施形態では、例えば、上述の２つ目のプログラムＰｒ２が、挿入位置情報９Ｙを表示部６に送信するプログラムを含むことが考えられる。即ち、ここでは、上述の２つ目のプログラムＰｒ２に従い、特定された識別情報９Ｘに対応する挿入位置情報９Ｙが、表示部６に送信される処理が行われる。
【００４８】
次に、表示部６について説明する。表示部６は、撮影情報４Ｘと一致する識別情報９Ｘに関連付けられた挿入位置情報９Ｙが示す挿入位置を表示する。
【００４９】
より具体的には、ここでは、表示部６は、挿入位置を表示するためのディスプレイ６１、判断部５から送信される挿入位置情報９Ｙよりディスプレイ６１に挿入位置を示す画像を表示する処理部（不図示）及び判断部５との通信を行う通信部（不図示）を備えることが考えられる。
【００５０】
なお、本実施形態では、表示部６が、透過型のディスプレイ６１を備えている。また、本実施形態では、表示部６は、作業者に装着される装着部６２をさらに備えている。
【００５１】
図７に示されるように、ここでは、表示部６におけるディスプレイ６１は、メガネ型のディスプレイである。そして、透過型のディスプレイ６１が、コネクタハウジング２のキャビティ２０に端子付電線９０を挿入する作業を行う作業者９９とコネクタハウジング２との間に配されている。
【００５２】
装着部６２は、メガネ型のディスプレイ６１が、作業者９９の目の前に配された状態を維持可能に構成されている。そして、図７に示されるように、装着部６２は、作業者９９の耳にかけることが可能に構成されている。即ち、装着部６２によって、表示部６のディスプレイ６１が作業者９９の目の前に位置するように、作業者９９が表示部６を装着することが可能となる。
【００５３】
なお、別の例として、ディスプレイ６１が、液晶ディスプレイ又は３Ｄディスプレイ等であってもよい。この場合、表示部６における装着部６２が、省略されることも考えられる。また、装着部６２の別の例として、装着部６２が、作業者９９が被るヘルメットである場合又は作業者９９の頭等に巻き付けることが可能なバンドである場合等も考えられる。
【００５４】
次にディスプレイ６１に表示される画像６３について説明する。図８に示されるように、ここでは、表示部６は、コネクタハウジング２のうち端子付電線９０が挿入される側の面であるコネクタ背面の画像（以下、コネクタ背面画像６４）を表示するとともに、コネクタ背面画像６４に重ねて挿入位置を表示する。なお、コネクタハウジング２のうち端子付電線９０が挿入される側の面（コネクタ背面）とは、作業者９９が端子付電線９０をコネクタハウジング２のキャビティ２０へ挿入する際に、作業者９９が視覚で認知する面でもある。なお、コネクタ背面画像６４は、例えば、挿入位置情報９Ｙとともに判断部５から表示部６へと送信される。
【００５５】
ここでは、表示部６における通信部が、判断部５から送信される挿入位置情報９Ｙを受信する。そして、表示部６の処理部によって、挿入位置情報９Ｙが示す挿入位置が、ディスプレイ６１に表示される。
【００５６】
なお、挿入位置とは、対象の端子付電線９０が挿入されるキャビティ２０を示す情報のことである。ここでは、図８に示されるように、対象の端子付電線９０が挿入されるキャビティ２０を示す挿入位置画像６５が、ディスプレイ６１に表示されている。挿入位置画像６５としては、例えば、円形状及び矩形状等の目印、記号、矢印、模様又は文字等が考えられる。ここでは、挿入位置画像６５として、菱形の目印が採用されている。
【００５７】
そして、ディスプレイ６１には、コネクタ背面画像６４に重なるように挿入位置画像６５が表示されている。ここでは、コネクタ背面画像６４におけるキャビティ２０Ｘの内部に、挿入位置画像６５が重なるように表示されている。
【００５８】
以下、表示装置１００を用いて行われる、コネクタハウジング２のキャビティ２０への端子付電線９０挿入作業の一例について説明する。なお、ここでは、図１に示されるように、端子付電線９０が、端子付電線９０Ａという種類である事例について説明する。
【００５９】
まず、作業者９９は、電線保持バーに保持された複数の端子付電線９０の中から１つの端子付電線９０を選び、手に取る。ちなみに、ここでは、端子付電線９０Ａという種類の端子付電線９０が手に取られた状況である。
【００６０】
そして、図４に示されるように、手にした端子付電線９０を撮影部４の撮影台４２に載せ、カメラ４１で撮影する。即ち、まず、作業者９９によって、端子付電線９０が撮影部４により撮影される。撮影部４は、例えば、作業者９９がコネクタハウジング２への端子付電線９０挿入作業を行う図板の近くに設置されていることが好ましい。
【００６１】
撮影部４で撮影された撮影データは、判断部５へと送信される。そして、判断部５の所定のプログラムＰｒ１，Ｐｒ２に従い、上記撮影データから得られる撮影情報４Ｘと複数の保存情報９Ｚにおける識別情報９Ｘとの対比が行われる。ここでは、端子付電線９０が、端子付電線９０Ａという種類であるため、図６に示されるように、６つの保存情報９Ｚにおける識別情報９Ｘうち、端子付電線９０Ａの種類を示す情報である識別情報９ＸＡと上記撮影情報４Ｘとが一致する。これにより、挿入位置情報９ＹＡが特定される。
【００６２】
特定された挿入位置情報９ＹＡは、判断部５から表示部６に送信される。ここで、挿入位置情報９ＹＡは、挿入位置がコネクタハウジング２の６つのキャビティ２０のうちキャビティ２１であることを示す情報である。従って、ここでは、表示部６は、挿入位置情報９ＹＡが示す挿入位置（目的のキャビティ２１の位置）をディスプレイ６１に表示する。
【００６３】
ここでは、図７，８に示されるように、ディスプレイ６１には、コネクタ背面画像６４が表示され、このコネクタ背面画像６４に挿入位置を示す挿入位置画像６５が重ねられて表示される。図８に示されるように、ここでは、挿入位置画像６５が、コネクタ背面画像６４におけるキャビティ２１を示すキャビティ２０Ｘに重なるように表示される。
【００６４】
ここで、本実施形態では、表示部６は、透過型のディスプレイ６１を含み、表示部６のディスプレイ６１は、作業者９９とコネクタハウジング２との間に配されている。より具体的には、表示部６は、透過型で、かつ、メガネ型のディスプレイ６１を含む。そして、表示部６のディスプレイ６１が、装着部６２によって作業者９９の目の前とコネクタハウジング２との間に配された状態で、作業者９９に装着されている。この場合、図９に示されるように、ディスプレイ６１に表示されたコネクタ背面画像６４及び挿入位置画像６５を、実際のコネクタハウジング２の端子付電線９０が挿入される側の面と重ねることができる。即ち、端子付電線９０が挿入される実際のコネクタハウジング２を、ディスプレイ６１に表示されたコネクタ背面画像６４及び挿入位置画像６５を介して見ることができる。この場合、コネクタ背面画像６４に重なって表示された挿入位置画像６５が、実際のコネクタハウジング２に重なるように見えるため、作業者９９が、端子付電線９０の挿入位置を視覚的に簡単に認識することが可能となる。
【００６５】
そして、表示部６のディスプレイ６１に表示された挿入位置画像６５に従い、端子付電線９０を所定のキャビティ２０（ここでは、キャビティ２１）に挿入することで、この端子付電線９０Ａという種類の端子付電線９０のコネクタハウジング２への挿入作業が完了する。
【００６６】
その後、他の種類の端子付電線９０Ｂ，９０Ｃ，９０Ｄ，９０Ｅ，９０Ｆに対しても上記と同様の作業を行われる。表示装置１００を用いて、端子付電線９０をコネクタハウジング２の各キャビティ２０に挿入することで、コネクタハウジング２のキャビティ２０に対する端子付電線９０の誤挿入を抑制すること及び端子付電線９０のコネクタハウジング２への挿入作業にかかる時間を短縮することが可能となる。
【００６７】
＜効果＞
本実施形態では、撮影部４が端子付電線９０を撮影し、判断部５が撮影することで得られる撮影情報４Ｘと複数の保存情報９Ｚにおける識別情報９Ｘとを対比して撮影情報４Ｘと一致する識別情報９Ｘ（ここでは、識別情報９ＸＡ）を特定する。そして、表示部６が、特定された識別情報９Ｘに関連付けられた挿入位置情報９Ｙが示す端子付電線９０の挿入位置（ここでは、キャビティ２１）を表示する。この場合、作業者９９が端子付電線９０の種類を特定する作業及び設計図を見てその特定した端子付電線９０の挿入位置を探す作業を行う場合に比べ、作業性が向上する。このため、コネクタハウジング２へ端子付電線９０を挿入する作業をより簡単に行うことが可能となる。
【００６８】
また、本実施形態では、表示部６は、コネクタハウジング２のうち端子付電線９０が挿入される側の面であるコネクタ背面の画像（コネクタ背面画像６４）を表示するとともに、このコネクタ背面画像６４に重ねて挿入位置を表示する。この場合、実際のコネクタ背面（コネクタハウジング２の背面）と表示部６に表示されたコネクタ背面画像６４に示された挿入位置とを見比べることで、端子付電線９０の挿入位置を簡単に認識することができる。
【００６９】
また、本実施形態では、表示部６は、作業者９９とコネクタハウジング２との間に配される透過型のディスプレイ６１を含む。この場合、実際のコネクタハウジング２の背面と表示部６に表示されたコネクタ背面画像６４とが重なるように照らし合わせることで、端子付電線９０の挿入位置を間違えることを抑制できる。また、端子付電線９０の挿入位置を確認するのに要する時間を低減できる。
【００７０】
また、本実施形態では、表示部６は、作業者９９に装着される装着部６２をさらに備える。この場合、表示部６を作業者９９に近い位置に設置することができる。
【００７１】
また、本実施形態では、表示部６にコネクタハウジング２の画像と挿入位置を示す画像とを表示することで、端子付電線９０の挿入位置が分かる。この場合、コネクタハウジング２の形状等を考慮した専用の挿入位置を示す治具を準備する必要が無い。即ち、表示装置１００は、汎用性に優れる。その結果、コネクタハウジングの形状を考慮した専用の治具を設計するコスト等を抑制でき、設備費を抑制することができる。
【００７２】
また、本実施形態のように、表示部６が透過型のディスプレイ６１を含む場合、装着部６２によって作業者９９の目の前にディスプレイ６１が位置するように装着されることで、実際のコネクタハウジング２の背面と表示部６に表示されたコネクタ背面画像６４とが重なるように照らし合わせる作業をより簡単に行うことができる。
【００７３】
＜変形例＞
次に、図１０，１１を参照しつつ、変形例に係る表示装置について説明する。図１０は、変形例に係る２つのコネクタハウジング２，３と端子付電線９０とを示す斜視図である。図１１は、変形例に係る表示装置の記憶部１０７に保存される保存情報８Ｚを示す図である。なお、図１０，１１に示される構成要素のうち、図１〜９に示される構成要素と同じ構成要素には、同じ参照符号が付されている。
【００７４】
コネクタハウジング３は、コネクタハウジング２と同様の構成である。図１０に示されるように、ここでは、コネクタハウジング３には、４つのキャビティ３１，３２，３３，３４が形成されている。
【００７５】
本例の表示装置では、図１１に示されるように、保存情報８Ｚが、端子付電線９０の種類を示す識別情報９Ｘと、コネクタハウジング２，３の種類及びそのコネクタハウジング２，３における挿入位置であるキャビティを特定する挿入位置情報８Ｙと、を含む。なお、識別情報９Ｘは、実施形態の６種類の端子付電線９０に加え、さらに、４種類の端子付電線９０Ｇ，９０Ｈ，９０Ｉ，９０Ｊに関する情報を含む。挿入位置情報８Ｙは、１０の識別情報９Ｘに対しそれぞれ関連付けられている。即ち、ここでは、記憶部１０７は、１０の保存情報８Ｚを含んでいる。
【００７６】
本例の表示装置においては、上述のように、記憶部１０７に保存される保存情報８Ｚが、コネクタハウジング２，３の品番を特定し、さらに、特定されたコネクタハウジング２，３における端子付電線９０の挿入位置であるキャビティを特定する挿入位置情報８Ｙを含む。この場合、変形例に係る表示装置を用いて、端子付電線９０を、どのコネクタハウジング２，３のどのキャビティに挿入するべきかが簡単にわかる。即ち、複数のコネクタハウジングの中から、端子付電線９０の挿入位置となるキャビティが簡単に分かる。
【００７７】
＜応用例＞
表示部６が、コネクタ背面画像を表示せず、例えば、文字のみによって、挿入位置を示す場合も考えられる。例えば、表示部６が、ディスプレイ６１に、「挿入位置はキャビティ２１」という文字を表示する場合も考えらえる。
【００７８】
メガネ型のディスプレイ６１を含む表示部６と撮影部４とが一体化された構成である場合も考えられる。例えば、この場合、作業者９９の目の前に端子付電線９０を移動させ、端子付電線９０の撮影が行われる。この場合、撮影部４のスペースを抑制できるとともに、撮影作業が容易となる。
【００７９】
判断部５において実現される一部あるいは全部の機能は、専用の論理回路等でハードウェア的に実現されてもよい。
【００８０】
なお、本発明に係る表示装置及び表示方法は、各請求項に記載された発明の範囲において、以上に示された実施形態、変形例及び応用例を自由に組み合わせること、或いは、実施形態、変形例及び応用例を適宜、変形する又は一部を省略することによって構成されることも可能である。
【符号の説明】
【００８１】
１００  表示装置
１０７  記憶部
２  コネクタハウジング
２０  キャビティ
４  撮影部
４Ｘ  撮影情報
５  判断部
６  表示部
６１  ディスプレイ
６２  装着部
６４  コネクタ背面画像
６５  挿入位置画像
９０  端子付電線
９Ｘ  識別情報
９Ｙ  挿入位置情報
９Ｚ  保存情報
【図１】
2017123290.tif 000003
【図２】
2017123290.tif 000004
【図３】
2017123290.tif 000005
【図４】
2017123290.tif 000006
【図５】
2017123290.tif 000007
【図６】
2017123290.tif 000008
【図７】
2017123290.tif 000009
【図８】
2017123290.tif 000010
【図９】
2017123290.tif 000011
【図１０】
2017123290.tif 000012
【図１１】
2017123290.tif 000013